(57)【要約】【課題】  交換レンズ／ズームレンズ／シフトレンズ に対応して、投射領域以外からの光を受光しないようにＲＧＢセンサのセンシングする領域を変更し、最適な投射光の色補正を行う。【解決手段】  プロジェクタ装置の光センサはセンシング領域を変更可能とするセンシング領域可変機能を有し、ズーム機能に応じて変更される投射画像の大きさ、もしくは、光学シフト機能もしくは電気制御シフト機能に応じて投射画像の位置、もしくは、交換式光学系に応じて変更される投射画像の大きさ／位置に対応するように、前記光センサのセンシング可能領域を制御可能とし、前記光センサ出力に応じて、スクリーン面の色を補正するように制御する事を特徴とする。【選択図】  図１
2013110612.tif 000002
【特許請求の範囲】
【請求項１】
入力手段から入力されたＲＧＢ画像信号により、光源であるランプの発光する光を、前記ＲＧＢ画像信号により空間光変調素子を制御することにより二次元画像を生成し、前記二次元画像をスクリーン面に投射及び光結像させる事が可能なプロジェクタ装置であって、
前記プロジェクタ装置は、投射される二次元画像の大きさを変更可能とするズーム機能、または、投射される二次元画像の位置を変更可能とする光学シフト機能もしくは、ＲＧＢ画像信号と空間光変調素子の位置を変更し二次元画像の位置を変更可能とする電気制御シフト機能、または、前記スクリーンに結像させるための光学系を変更可能な交換式光学系、
およびスクリーン面から入射される光量のセンシングを行う光センサを具備し、
前記光センサはセンシング領域を変更可能とするセンシング領域可変機能を有し、
前記ズーム機能に応じて変更される投射画像の大きさ、もしくは、前記光学シフト機能もしくは前記電気制御シフト機能に応じて投射画像の位置、もしくは、交換式光学系に応じて変更される投射画像の大きさ／位置に対応するように、前記光センサのセンシング可能領域を制御可能とし、
前記光センサ出力に応じて、スクリーン面の色を補正するように制御する事を特徴とする画像表示装置。
【請求項２】
前記センシング領域可変機構は、前記光センサの集光領域を制御可能な液晶絞りであることを特徴とする請求項１に記載の画像表示装置。
【請求項３】
前記センシング領域可変機構は、前記光センサの集光領域を制御可能な液晶絞りであり、二次元方向の複数領域を独立に光を透過もしくは遮断することにより、センシング領域を変更することを特徴とする請求項２に記載の画像表示装置。
【請求項４】
入力手段から入力されたＲＧＢ画像信号により、光源であるランプの発光する光を、前記ＲＧＢ画像信号により空間光変調素子を制御することにより二次元画像を生成し、前記二次元画像をスクリーン面に投射及び光結像させる事が可能なプロジェクタ装置であって、
前記プロジェクタ装置は、投射される二次元画像の大きさを変更可能とするズーム機能、または、投射される二次元画像の位置を変更可能とする光学シフト機能もしくは、ＲＧＢ画像信号と空間光変調素子の位置を変更し二次元画像の位置を変更可能とする電気制御シフト機能、または、前記スクリーンに結像させるための光学系を変更可能な交換式光学系、
およびスクリーン面から入射される水平及び垂直方向の位置における光量のセンシングを行う二次元光センサを具備し、
前記ズーム機能に応じて変更される投射画像の大きさ、もしくは、前記光学シフト機能もしくは前記電気制御シフト機能に応じて投射画像の位置、もしくは、交換式光学系に応じて変更される投射画像の大きさ／位置に対応する、前記二次元光センサの既定位置のセンサ出力に応じて、スクリーン面の色を補正するように制御する事を特徴とする画像表示装置。
【発明の詳細な説明】
【技術分野】
【０００１】
本発明は、画像信号を入力し、入力された画像を表示する画像表示装置に関する。特に、表示画像をスクリーン等に投射する表示装置であり、さらに、スクリーンもしくは投射画像の表示エリアの色に応じて、投射画像の補正を行うことを特徴とする画像表示装置に関する。
【背景技術】
【０００２】
近年、ＰＣ画像を複数名で視聴するためのモニタ装置として、ＰＣの出力する電気信号であるＲＧＢ出力信号を入力可能なプロジェクタ装置が使用されることが多い。また、複数名で視聴する資料をスライド画像データとして作成する場合、プレゼンテーションソフトウェアを用いて作成する場合がほとんどである。プレゼンテーションソフトウェアによるスライド作成はＰＣモニタで行なわれる事が一般的であり、プレゼンテーションはスライド作成時に使用したＰＣモニタとは異なるプロジェクタ装置が使用されることが多い。
【０００３】
また、プロジェクタ装置の設置環境により、スクリーンを使用せずに、会議室等の壁をあたかもスクリーンであるかのごとく使用する場合も存在し、この場合の壁の色が白色であるとは限らない。このように、スライド作成時に使用されたＰＣモニタとプレゼンテーション時のプロジェクタ装置では、表示する画像の色が大きく異なる場合が存在する。そのためプレゼンテーション環境での表示に適した色特性になるようにプロジェクタ装置の調整を行う事が望ましく、プロジェクタ装置管理者が画質改善のため、プロジェクタ装置の調整項目の適時調整を行う必要がある。他の手段として、スクリーンや壁などの投射エリアの色をＲＧＢセンサで取得し、プロジェクタ装置内の色補正処理回路により色補正を行う機能の搭載されたプロジェクタ装置も存在する。
【０００４】
また、プロジェクタ装置における投射レンズはズーム機能が搭載されていることが多い。ズーム機能は、プロジェクタ装置が投射する表示画像のサイズを変更するものである。さらに、ズーム倍率に応じて複数の投射レンズを選択できるプロジェクタ装置も存在する。さらには、投射レンズにシフト機能が搭載され、投射する表示画像の位置をシフトすることが可能なプロジェクタ装置も存在する。このように、投射位置が変動する場合も、投射エリア外の色情報を含まない投射エリア内のみの色情報を取得し、取得された色情報で、資料製作者が意図している最適な色特性となるように投射画像を補正することが望ましい。
【０００５】
ＲＧＢセンサ及び色補正処理の搭載されたプロジェクタ装置において、画像投射領域以外からの光が受光素子であるＲＧＢセンサに入射することを極力避けるための手法として特許文献１が知られている。特許文献１では、投射面から入射する光を制限する光制限部材により、ＲＧＢセンサ等である受光素子に画像投射領域以外からの入射光が入らないように制限を行い、適切な補正を目的としたものである。
【先行技術文献】
【特許文献】
【０００６】
【特許文献１】特開２００７−７９００３号公報
【発明の概要】
【発明が解決しようとする課題】
【０００７】
しかしながら特許文献１に記載されている手法では、ズーム機能に関しては、ズーム端での投射領域の入射光に限定しており、ズーム倍率が変動した際の入射光に関しては言及されていない。さらには、交換レンズ、シフト機能に関しても言及されていない。
【０００８】
そのため、投射レンズが交換された場合や、シフト機能により投射位置が変化した場合、ＲＧＢセンサ等の受光素子が最適な補正を行うことができるとは限らない。もしくは、ズーム機能、交換レンズ、シフト機能で変化する全投射エリアの重なっている領域のみをセンシングすることとなり、誤補正を行う可能性が高まってしまい現実的ではない。
【０００９】
そこで、本手法では、プロジェクタ装置におけるズーム機能、交換レンズ、シフト機能に応じて変化する投射エリアに対し、最適な領域のみのセンシングを可能とするよう技術を提供することを目的としている。
【課題を解決するための手段】
【００１０】
上記の目的を達成するために、入力手段から入力されたＲＧＢ画像信号により、光源であるランプの発光する光を、前記ＲＧＢ画像信号により空間光変調素子を制御することにより二次元画像を生成し、前記二次元画像をスクリーン面に投射及び光結像させる事が可能なプロジェクタ装置であって、前記プロジェクタ装置は、投射される二次元画像の大きさを変更可能とするズーム機能、または、投射される二次元画像の位置を変更可能とする光学シフト機能もしくは、ＲＧＢ画像信号と空間光変調素子の位置を変更し二次元画像の位置を変更可能とする電気制御シフト機能、または、前記スクリーンに結像させるための光学系を変更可能な交換式光学系、およびスクリーン面から入射される光量のセンシングを行う光センサを具備し、
前記光センサはセンシング領域を変更可能とするセンシング領域可変機能を有し、前記ズーム機能に応じて変更される投射画像の大きさ、もしくは、前記光学シフト機能もしくは前記電気制御シフト機能に応じて投射画像の位置、もしくは、交換式光学系に応じて変更される投射画像の大きさ／位置に対応するように、前記光センサのセンシング可能領域を制御可能とし、前記光センサ出力に応じて、スクリーン面の色を補正するように制御する事を特徴とする画像表示装置を提案する。
【発明の効果】
【００１１】
本手法を使用することにより、プロジェクタ装置におけるズーム機能、交換レンズ、シフト機能に応じて変化する投射エリアに対し、最適な領域のみのセンシングが可能となる。その結果、プレゼンテーション環境での表示に最適な特性になるようにプロジェクタ装置の自動色調整を行なうことが可能となった。
【図面の簡単な説明】
【００１２】
【図１】実施例１の液晶プロジェクタ装置の説明図
【図２】実施例のフローチャート
【図３】逆Ｖ−Ｔ変換処理の説明図
【図４】ズーム機能／シフト機能の説明図
【図５】絞り３０の説明図
【図６】絞り３０の動作説明図
【図７】絞り３０の動作説明図２
【図８】実施例２の液晶プロジェクタ装置の説明図
【図９】二次元ＲＧＢセンサの説明図
【発明を実施するための形態】
【００１３】
以下に、本発明の好ましい実施の形態を、添付の図面に基づいて詳細に説明する。
【００１４】
［実施例１］
図１は本発明の液晶プロジェクタ装置を用いた第一の実施例である。
【００１５】
図１において、１はデジタルＲＧＢ入力端子、２はアナログＲＧＢ入力端子、３はビデオ入力端子である。４はデジタルＲＧＢ入力信号を受け取るレシーバ、５，６はアナログ信号をデジタル信号に変換するアナログデジタル変換回路（ＡＤ変換回路）である。７はＡＤ変換されたディジタルビデオ信号を入力し、輝度を表すデジタル信号及び色を表す２種類のデジタル信号を出力するビデオデコーダであり、ビデオデコーダ出力は、マトリクス回路８に入力され、デジタルＲＧＢ信号に変換される。レシーバ４出力、ＡＤ変換回路５出力、マトリクス回路８出力は、９で示される入力セレクタ回路に入力される。入力セレクタ回路９により選択されたデジタルＲＧＢ信号は、解像度変換回路１１に入力され、フレームメモリ１０を介して、２０で示される液晶パネルの解像度／フレーム表示周波数に変換される。１２は画像処理回路であり、制御部２６の出力する制御信号に応じて解像度変換回路１１の出力するＲＧＢ信号に対する台形補正処理／ＯＳＤ付加、テストパターン出力等が行なわれる。
【００１６】
２９は色補正処理回路であり、画像処理回路１２出力ＲＧＢ信号を入力し、ＲＧＢ信号に対しゲイン変換／オフセット変換等の色補正処理を行い出力する。１３は逆Ｖ−Ｔ補正回路であり、色補正処理回路２９出力ＲＧＢ信号を入力し、液晶パネル２０の入力電圧−光透過特性（V−T特性）を逆補正するようにＲＧＢ信号を出力する。１４はムラ補正回路であり、画像内全領域においてＲＧＢデータが均一である画像が入力された時、投射画像が面内で均一に投射され、パネル面内のムラを抑制するように座標毎のパネル駆動電圧の制御を行う。１５はパネル出力処理回路であり、ムラ補正回路１４出力信号を液晶パネル駆動が可能な信号に変換する。１６は電源であり、１７は電源１６より供給される電力からランプ１８に供給する安定した高電圧を発生させるランプ駆動回路（バラスト）である。
【００１７】
１９はインテグレータ光学系であり、ランプ１８の出力する光の均一性を高める。１９を通過した均一性を高めた光はパネル出力処理回路１５に制御される液晶パネル２０を通過し、投射レンズ２１を介して、スクリーン２２に投射される。図１では記述されていないが、インテグレータ光学系１９を通過した光は、ＲＧＢに分光され、ＲＧＢ光源として使用される。前記ＲＧＢ光源からの光が各々１枚の液晶パネル２０を通過し、３枚の液晶パネルを通過したＲＧＢ光が集光されることにより、カラー画像となり、投射レンズ２１を介して投射される。２３はリモコン受光部、２４はＰＣ通信端子である。液晶プロジェクタ装置外部のリモコンからの液晶プロジェクタ制御用赤外線光等をリモコン受光部２３で受信し、制御部２６により液晶プロジェクタ装置を制御する。また、ＰＣからの液晶プロジェクタ装置の制御もしくは逆に液晶プロジェクタ装置からＰＣの制御を行う制御信号をＰＣ通信端子２４で送受信し、ＰＣから液晶プロジェクタ装置が制御された場合には、制御部２６によりその制御動作が行なわれる。
【００１８】
２５は液晶プロジェクタ装置本体に搭載されている制御ボタンであり、制御ボタン２５による制御信号は制御部２６を経由して、液晶プロジェクタ装置を制御する。２７は同期信号入力端子であり、アナログＲＧＢ入力端子２からアナログＲＧＢ信号の水平／垂直同期信号が入力される。２８は同期処理回路であり、ビデオ入力端子３から入力されるビデオ信号からの同期分離処理、デジタルＲＧＢ入力端子１から入力されるデジタルＲＧＢ信号の同期信号処理を行う。さらには、同期信号入力端子２７から入力されるアナログＲＧＢ信号の同期信号処理等を行い、同期信号処理回路２８は制御部２６へ出力する。３０は絞り、３１は集光レンズ、３２はＲＧＢセンサであり、スクリーン２２に投射されている液晶プロジェクタ装置の投射光は、絞り３０、集光レンズ３１を通過しＲＧＢセンサ３２に入力される。ＲＧＢセンサ３２はスクリーン２２に投射されている投射光の色情報を制御部２６に出力する。
【００１９】
図２は本発明の実施例の動作を示すフローチャートである。
【００２０】
液晶プロジェクタ装置が、（21）投射光色補正状態となった時、（22）画像処理回路１２は、現在入力されている入力画像信号を無視し、白色画像を出力する。画像処理回路１２の出力する白色画像は、逆Ｖ−Ｔ補正回路１３、ムラ補正回路１４、パネル出力処理回路１５により、液晶パネル２０を駆動し、白光を投射する。（23）スクリーン２２に投射された白色光は、絞り３０、集光レンズ３１を通して、ＲＧＢセンサ３２により、投射された白色光のＲ成分、Ｇ成分、Ｂ成分の強度が制御部２６に伝送される。（24）制御部２６は、ＲＧＢセンサ３２から入力される前記Ｒ／Ｇ／Ｂセンサ出力比と、補正を必要としない状態であるプロジェクタ装置固有の基準ＲＧＢセンサ出力比を比較し、投射光補正の必要性を判断する。投射光補正が必要であると判断された場合、（25）制御部２６は、前記Ｒ／Ｇ／Ｂセンサ出力値が基準ＲＧＢセンサ出力比となるように、液晶パネル２０のＶ−Ｔ特性を考慮し、補正量であるＲＧＢゲイン設定値を演算する。（26）制御部２６で演算された前記補正量は、色補正処理回路２９に入力され、画像処理回路１２の出力するＲＧＢ信号に対しゲイン処理が施され、（27）投射光補正状態を終了する。
【００２１】
図３は、補正量であるＲＧＢゲイン補正値演算の説明図である。図３（Ａ）は液晶パネル２０のＶ−Ｔ特性であり、液晶パネル２０に印加される入力電圧に対し、投射光量に比例する液晶パネル透過率は図３（Ａ）に示されるような特性があるとする。つまり、入力電圧aの時、透過率＝０％、同様に入力電圧b,c,d,eの時、透過率＝25,50,75,100％となる。
【００２２】
図３（Ｂ）は逆Ｖ−Ｔ補正回路１３で施される逆Ｖ−Ｔ変換処理の説明図である。逆Ｖ−Ｔ補正回路１３の入力レベルが図３（Ｂ）におけるＩｃであるとき、図３（Ｂ）の特性を持つ逆Ｖ−Ｔ補正回路１３はレベルｃを出力する。出力レベルｃは、図３（Ａ）のＶ−Ｒ特性である液晶パネル２０に入力され、液晶パネル２０は透過率＝50％となるように駆動される。つまり、入力レベルIa＝0、Ib＝0.5、Ic＝0.75、Id＝0.875、Ie=1.0とすると、入力レベル{0,0.5,0.75,0.875,1.0}に対し、透過率｛0％,25％,50％,75％,100％｝となる。
【００２３】
例として、補正を必要としない状態であるプロジェクタ装置固有の基準ＲＧＢセンサ出力比が
Ｒ：Ｇ：Ｂ  ＝  1.00：1.00：1.00
とする。
【００２４】
青色系のスクリーンもしくは壁等に投射されている環境において、投射光色補正処理が選択された時、取得される受光ＲＧＢセンサ出力比が
Ｒ：Ｇ：Ｂ  ＝  0.75：0.75：1.00
であった場合、白色投射に対し、表示色は青色系に変化してしまっている。
【００２５】
そこで、Ｂ光量を0.75倍に補正し、投射光の色特性を改善する必要がある。つまり、図３（Ａ）に記されている液晶パネル２０の透過率を75％にするために、図３（Ｂ）で示されるように、逆Ｖ−Ｔ補正回路１３に入力される入力レベルは0.875倍する必要がある。この例では、ＲＧＢゲイン補正値は、
Ｒ：Ｇ：Ｂ  ＝  1.00：1.00：0.875
となる。制御部２６の出力するＲＧＢゲイン補正値は色補正処理回路２９に入力され、ＲＧＢ信号に対し、ゲイン処理が施される。
【００２６】
図４は、液晶プロジェクタ装置の（Ａ）ズーム機能／（Ｂ）シフト機能の説明図である。図４（Ａ）は、ズーム機能を表しており、投射ズームレンズをテレ側で投射したときの表示エリアが白色四角で示されており、投射ズームレンズをズーム側で投射したときの表示エリアがグレー四角で示されている。図４（Ｂ）は、シフト機能を表しており、投射シフトレンズをシフト中心で投射したときの表示エリアが白色四角で示されており、投射シフトレンズをシフト状態で投射したときの表示エリアがグレー四角で示されている。図４（Ｂ）では、シフト状態は、左右および上方向の３方向にシフトした際の説明図を示している。また、シフト機能は上述のシフトレンズを用いたシフトのみでなく、液晶パネル２０への転送データ位置を水平もしくは垂直方向へ移動させることにより構成することも可能である。
【００２７】
図５は、絞り３０の説明図である。ここで、絞り３０は液晶絞りであり、８×８に分割され、領域毎に透過光を制御可能である。
【００２８】
図６は絞り３０の動作説明図である。図６（Ａ）は液晶プロジェクタ装置の投射ズームレンズがテレ側で投射している場合を示しており、投射エリアのみからの反射光を受光するように、絞り３０の光通過領域は狭まっている。一方、図６（Ｂ）では、液晶プロジェクタ装置の投射ズームレンズがズーム側で投射している場合を示しており、この場合においても投射エリアのみからの反射光を受光するように、絞り３０の光通過領域は拡がっている。
【００２９】
図７は絞り３０の動作説明図２である。図７（Ａ）は液晶プロジェクタ装置の投射シフトレンズがシフト中心で投射している場合を示しており、投射エリアのみからの反射光を受光するように、絞り３０の光通過領域は中央である。一方、図７（Ｂ）では、液晶プロジェクタ装置の投射シフトレンズが右側にシフトして投射している場合を示しており、この場合においても投射エリアのみからの反射光を受光するように、絞り３０の光通過領域は右側に変化している。
【００３０】
ここでは、特に記していいないが、交換用投射レンズを用いる際には、交換用投射レンズに対応して、絞り３０の液晶絞りを変化させても良い。さらには、本実施例では、絞り３０の構成として、液晶絞りを記しているが、メカ的な駆動により絞り３０の通過光量域を変更する機構を持ったものでもかまわないし、投射レンズのシフト機構に連動して絞り３０の通過光量域を変動させてもかまわない。
【００３１】
［実施例２］
図８の第２の実施例である。図８において、８０１はデジタルＲＧＢ入力端子、８０２はアナログＲＧＢ入力端子、８０３はビデオ入力端子である。８０４はデジタルＲＧＢ入力信号を受け取るレシーバ、８０５，８０６はアナログ信号をデジタル信号に変換するアナログデジタル変換回路（ＡＤ変換回路）である。８０７はＡＤ変換されたディジタルビデオ信号を入力し、輝度を表すデジタル信号及び色を表す２種類のデジタル信号を出力するビデオデコーダであり、ビデオデコーダ出力は、マトリクス回路８０８に入力され、デジタルＲＧＢ信号に変換される。レシーバ８０４出力、ＡＤ変換回路８０５出力、マトリクス回路８０８出力は、８０９で示される入力セレクタ回路に入力される。入力セレクタ回路８０９により選択されたデジタルＲＧＢ信号は、解像度変換回路８１１に入力され、フレームメモリ８１０を介して、８２０で示される液晶パネルの解像度／フレーム表示周波数に変換される。８１２は画像処理回路であり、制御部８２６の出力する制御信号に応じて解像度変換回路８１１の出力するＲＧＢ信号に対する台形補正処理／ＯＳＤ付加、テストパターン出力等が行なわれる。
【００３２】
８２９は色補正処理回路であり、画像処理回路８１２出力ＲＧＢ信号を入力し、ＲＧＢ信号に対しゲイン変換／オフセット変換等の色補正処理を行い出力する。８１３は逆Ｖ−Ｔ補正回路であり、色補正処理回路８２９出力ＲＧＢ信号を入力し、液晶パネル８２０の入力電圧−光透過特性（V−T特性）を逆補正するようにＲＧＢ信号を出力する。８１４はムラ補正回路であり、画像内全領域においてＲＧＢデータが均一である画像が入力された時、投射画像が面内で均一に投射され、パネル面内のムラを抑制するように座標毎のパネル駆動電圧の制御を行う。８１５はパネル出力処理回路であり、ムラ補正回路８１４出力信号を液晶パネル駆動が可能な信号に変換する。
【００３３】
８１６は電源であり、８１７は電源８１６より供給される電力からランプ８１８に供給する安定した高電圧を発生させるランプ駆動回路（バラスト）である。８１９はインテグレータ光学系であり、ランプ８１８の出力する光の均一性を高める。８１９を通過した均一性を高めた光はパネル出力処理回路８１５に制御される液晶パネル８２０を通過し、投射レンズ８２１を介して、スクリーン８２２に投射される。図８では記述されていないが、インテグレータ光学系８１９を通過した光は、ＲＧＢに分光され、ＲＧＢ光源として使用される。前記ＲＧＢ光源からの光が各々１枚の液晶パネル８２０を通過し、３枚の液晶パネルを通過したＲＧＢ光が集光されることにより、カラー画像となり、投射レンズ８２１を介して投射される。
【００３４】
８２３はリモコン受光部、８２４はＰＣ通信端子である。液晶プロジェクタ装置外部のリモコンからの液晶プロジェクタ制御用赤外線光等をリモコン受光部８２３で受信し、制御部８２６により液晶プロジェクタ装置を制御する。また、ＰＣからの液晶プロジェクタ装置の制御もしくは逆に液晶プロジェクタ装置からＰＣの制御を行う制御信号をＰＣ通信端子８２４で送受信し、ＰＣから液晶プロジェクタ装置が制御された場合には、制御部８２６によりその制御動作が行なわれる。８２５は液晶プロジェクタ装置本体に搭載されている制御ボタンであり、制御ボタン８２５による制御信号は制御部８２６を経由して、液晶プロジェクタ装置を制御する。８２７は同期信号入力端子であり、アナログＲＧＢ入力端子８０２からアナログＲＧＢ信号の水平／垂直同期信号が入力される。８２８は同期処理回路であり、ビデオ入力端子８０３から入力されるビデオ信号からの同期分離処理、デジタルＲＧＢ入力端子８０１から入力されるデジタルＲＧＢ信号の同期信号処理を行う。さらには、同期信号入力端子８２７から入力されるアナログＲＧＢ信号の同期信号処理等を行い、同期信号処理回路８２８は制御部８２６へ出力する。
【００３５】
８３０は絞り、８３１は集光レンズ、８３２は二次元ＲＧＢセンサ、８３３はタイミングジェネレータであり、スクリーン８２２に投射されている液晶プロジェクタ装置の投射光は、絞り８３０、集光レンズ８３１を通過しＲＧＢセンサ８３２に入力される。ＲＧＢセンサ８３２は、タイミングジェネレータ８３３に出力するタイミング信号に同期して、スクリーン８２２に投射されている投射光の二次元位置情報に応じた色情報を制御部８２６に出力する。
【００３６】
図９は、二次元ＲＧＢセンサ８３２の説明図であり、８×８に分割された位置のＲＧＢ情報をタイミングジェネレータ８３３の出力するタイミング信号に応じて、制御部８２６に出力する。制御部８２６では、液晶プロジェクタ装置の投射レンズのズーム機能／シフト機能もしくは交換レンズに応じて、第一の実施例に記載している液晶絞り動作に準じた動作を行う、つまり、図６もしくは図７に記されている液晶絞りの動作説明図でセンシングされている位置に相当する二次元ＲＧＢセンサ情報を用いて、投射光補正演算を行う。
【符号の説明】
【００３７】
１…デジタルＲＧＢ入力端子、２…アナログＲＧＢ入力端子、３…ビデオ入力端子、４…レシーバ、５，６…アナログデジタル変換回路、７…ビデオデコーダ、８…マトリクス回路、９…入力セレクタ回路、１０…フレームメモリ、１１…解像度変換回路、１２…画像処理回路、１３…逆Ｖ−Ｔ補正回路、１４…ムラ補正回路、１５…パネル出力処理回路、１６…電源、１７…ランプ駆動回路（バラスト）、１８…ランプ、１９…インテグレータ光学系、２０…液晶パネル、２１…投射レンズ、２２…スクリーン、２３…リモコン受光部、２４…ＰＣ通信端子、２５…制御ボタン、２６…制御部、２７…同期信号入力端子、２８…同期処理回路、２９…色補正処理回路、３０…絞り、３１…集光レンズ、３２…ＲＧＢセンサ。８０１…デジタルＲＧＢ入力端子、８０２…アナログＲＧＢ入力端子、８０３…ビデオ入力端子、８０４…レシーバ、８０５，８０６…アナログデジタル変換回路、８０７…ビデオデコーダ、８０８…マトリクス回路、８０９…入力セレクタ回路、８１０…フレームメモリ、８１１…解像度変換回路、８１２…画像処理回路、８１３…逆Ｖ−Ｔ補正回路、８１４…ムラ補正回路、８１５…パネル出力処理回路、８１６…電源、８１７…ランプ駆動回路（バラスト）、８１８…ランプ、８１９…インテグレータ光学系、８２０…液晶パネル、８２１…投射レンズ、８２２…スクリーン、８２３…リモコン受光部、８２４…ＰＣ通信端子、８２５…制御ボタン、８２６…制御部、８２７…同期信号入力端子、８２８…同期処理回路、８２９…色補正処理回路、８３０…絞り、８３１…集光レンズ、８３２…二次元ＲＧＢセンサ、８３３…タイミングジェネレータ。
【図１】
2013110612.tif 000003
【図２】
2013110612.tif 000004
【図３】
2013110612.tif 000005
【図４】
2013110612.tif 000006
【図５】
2013110612.tif 000007
【図６】
2013110612.tif 000008
【図７】
2013110612.tif 000009
【図８】
2013110612.tif 000010
【図９】
2013110612.tif 000011